【手続補正書】
【提出日】令和3年9月27日(2021.9.27)
【手続補正１】
【補正対象書類名】明細書
【補正対象項目名】発明の名称
【補正方法】変更
【補正の内容】
【発明の名称】無線送電のシステムと方法
【手続補正２】
【補正対象書類名】特許請求の範囲
【補正対象項目名】全文
【補正方法】変更
【補正の内容】
【特許請求の範囲】
【請求項１】
光パワーのビームを遠隔空間に伝送する無線送電のシステムであって、
ビーム生成器ユニット、ビーム偏向ユニット及び送信器制御ユニットを含む送信器であって、前記送信器は少なくとも一つの第１放出状態及び少なくとも一つの第２放出状態を有し、前記少なくとも一つの第２放出状態はそれぞれが前記少なくとも一つの第１放出状態のいずれの最高放出よりも高い放出を有する、送信器と、
前記光パワーを受信する受信器であって、パワー変換デバイスを組み入れる受信器と、
受信器制御ユニットと、
受信器制御ユニット故障の検出時に前記送信器が少なくとも一つの第１放出状態から前記少なくとも一つの第２放出状態のいずれかへ切り替わるのを防止するべく適合される受信器機能モニタユニットと、
送信器制御ユニット故障の検出時に前記送信器が少なくとも一つの第１放出状態から前記少なくとも一つの第２放出状態のいずれかへ切り替わるのを防止するべく適合される送信器機能モニタユニットと、
前記送信器機能モニタユニットに信号を与えるべく構成される少なくとも２つのセンサであって、前記信号は前記システムからの人アクセス可能放出のレベルを示す、少なくとも２つのセンサと
を含み、
前記送信器制御ユニットは、前記信号の少なくとも一つが所定レベルを超える人アクセス可能放出のレベルを示す場合に、前記送信器が前記少なくとも一つの第１放出状態から前記少なくとも一つの第２放出状態のいずれかへ切り替わるのを防止するべく適合され、
前記送信器制御ユニットは、前記信号がいずれも、前記所定レベルを上回る人アクセス可能放出のレベルを示さない場合、かつ、前記センサの少なくとも２つから生じた少なくとも２つの信号が互いに所定量を超えるだけ異なる結果を与える場合、前記送信器が前記少なくとも一つの第１放出状態から前記少なくとも一つの第２放出状態のいずれかへ切り替わるのを防止するべく適合され、
前記送信器制御ユニットはさらに、前記送信器が前記少なくとも一つの第１放出状態から前記少なくとも一つの第２放出状態のいずれかへ切り替わるのを防止する少なくとも第１の方法及び第２の方法を、
（ｉ）前記第１の方法及び第２の方法の双方を実質的に同時に使用し、又は
（ｉｉ）前記第１の方法を使用した後に前記第２の方法を使用するように、実装するべく構成される、システム。
【請求項２】
前記システムからの人アクセス可能放出のレベルが所定レベルよりも大きいことを示す前記信号の少なくとも一つを前記送信器が受信する場合、前記第２の方法は、前記第１の方法の後に使用される、請求項１に記載のシステム。
【請求項３】
（ｉ）前記送信器機能モニタユニットが送信器制御ユニット故障を検出、（ｉｉ）前記受信器機能モニタユニットが受信器制御ユニット故障を検出、及び（ｉｉｉ）前記送信器制御ユニットが前記センサのうち少なくとも２つから生じる結果であって互いに所定量を超えるだけ異なる結果を検出、のうち少なくとも一つの場合、前記第２の方法は、前記第１の方法の後に使用される、請求項１に記載のシステム。
【請求項４】
前記システムはさらに、少なくとも一つの放出状態センサを含み、
前記送信器の構成のうちのいずれかが、前記放出状態センサのうち少なくとも一つからの結果に基づく、請求項１から３のいずれか一項に記載のシステム。
【請求項５】
前記第１の方法を使用した後に前記第２の方法を使用することはさらに、前記第１の方法を使用した後に、（ｉ）少なくとも一つの放出状態センサを使用して前記送信器が第２放出状態で動作しているか否かをチェックし、その後、（ｉｉ）前記送信器が第２放出状態で動作している場合、引き続いて前記第２の方法を使用することを含む、請求項４に記載のシステム。
【請求項６】
前記結果は前記センサのうち少なくとも２つから生じる、請求項１から５のいずれか一項に記載のシステム。
【請求項７】
前記センサのうち少なくとも２つから生じる前記結果は、測定値に基づく計算の結果である、請求項１から６のいずれか一項に記載のシステム。
【請求項８】
前記センサのうち少なくとも２つから生じる結果間の差異は、前記少なくとも２つのセンサが機能上独立である場合に生じる、請求項１から７のいずれか一項に記載のシステム。
【請求項９】
前記センサのうち少なくとも２つから生じる結果間の差異は、前記センサのうち一つの潜在的誤動作を示す所定のレベルを上回る、請求項１から８のいずれか一項に記載のシステム。
【請求項１０】
前記センサのうち少なくとも２つから生じる結果間の差異は、前記センサのうち少なくとも一つに給電するデバイスの潜在的誤動作を示す所定レベルを上回る、請求項１から９のいずれか一項に記載のシステム。
【請求項１１】
前記センサのうち少なくとも一つの測定値が、予測される通常範囲から所定レベルを超えて逸脱している場合、前記送信器は、前記少なくとも一つの第１放出状態から前記少なくとも一つの第２放出状態のいずれかへ切り替わるのを防止される、請求項１から１０のいずれか一項に記載のシステム。
【請求項１２】
前記所定レベルは少なくとも一つの既知の安全基準によって定義される、請求項１から１１のいずれか一項に記載のシステム。
【請求項１３】
前記送信器が前記少なくとも一つの第１放出状態から前記少なくとも一つの第２放出状態のいずれかへ切り替わるのを防止する方法はいずれも、
（ｉ）前記ビームが人アクセス可能であれば、前記ビームの衝突放出が少なくとも一つの既知の安全基準未満となるように、放出を低いレベルのままにすることと、
（ｉｉ）前記ビームをオフ状態に維持することと、
（ｉｉｉ）前記ビームが人アクセス可能であれば、前記ビームの衝突放出が少なくとも一つの既知の安全基準未満となるように、前記ビームを十分に迅速にスキャンすることと、
（ｉｖ）前記ビームをビームブロックの方に向けることと、
（ｖ）拡散器を前記ビームの経路内へと動かすことと、
（ｖｉ）前記ビームを複数のビームに分割することと
のうち少なくとも一つを含む、請求項１から１２のいずれか一項に記載のシステム。
【請求項１４】
前記少なくとも一つの既知の安全基準は規制上の安全基準である、請求項１３に記載のシステム。
【請求項１５】
前記少なくとも２つのセンサの測定値がいずれも個別には、前記システムからの人アクセス可能放出のレベルが所定レベルよりも大きいことを示さないが、前記少なくとも２つのセンサにより得られる測定値の組み合わせが、前記システムからの人アクセス可能放出のレベルが所定レベルよりも大きいことを示す場合に、前記送信器は、前記少なくとも一つの第１放出状態から前記少なくとも一つの第２放出状態のいずれかへ切り替わるのを防止される、請求項１から１４のいずれか一項に記載のシステム。
【請求項１６】
前記システムからの人アクセス可能放出のレベルが所定レベルよりも大きいことを示す信号は、前記少なくとも２つのセンサにより得られる測定値を使用する計算の結果が、前記システムからの人アクセス可能放出のレベルが所定レベルよりも大きいことを示す場合に与えられる、請求項１から１５のいずれか一項に記載のシステム。
【請求項１７】
光パワーのビームを、受信器制御ユニット、受信器機能モニタユニット及びパワー変換デバイスを有する少なくとも一つの受信器に伝送する無線送電システムであって、
少なくとも一つの第１放出状態及び少なくとも一つの第２放出状態を有する送信器であって、前記送信器は、前記少なくとも一つの第２放出状態はそれぞれが前記少なくとも一つの第１放出状態のいずれかの最高放出よりも高い放出を有し、前記受信器機能モニタユニットは、受信器制御ユニット故障の検出時に前記送信器が前記少なくとも一つの第１放出状態から前記少なくとも一つの第２放出状態のいずれかへ切り替わるのを防止するべく適合され、前記送信器はさらに、ビーム生成器ユニット及びビーム偏向ユニットを有する、送信器と、
送信器制御ユニットと、
送信器制御ユニット故障の検出時に前記送信器が前記少なくとも一つの第１放出状態から前記少なくとも一つの第２放出状態のいずれかへ切り替わるのを防止するべく適合される送信器機能モニタユニットと、
前記無線送電システムからの人アクセス可能放出のレベルが所定レベルよりも大きいことを示す信号を与えるべく構成される少なくとも２つのセンサと
を含み、
前記送信器制御ユニットは、前記信号の少なくとも一つを受信するときに、前記送信器が前記少なくとも一つの第１放出状態から前記少なくとも一つの第２放出状態のいずれかへ切り替わるのを防止するべく適合され、
前記送信器制御ユニットは、前記少なくとも２つのセンサがいずれも、前記人アクセス可能放出のレベルが所定レベルよりも大きいことを示す信号を与えない場合、かつ、前記センサの少なくとも２つから生じた結果間で所定量を超える差異を検出する場合、前記送信器が前記少なくとも一つの第１放出状態から前記少なくとも一つの第２放出状態のいずれかへ切り替わるのを防止するべく適合され、
前記送信器制御ユニットはさらに、前記送信器が前記少なくとも一つの第１放出状態から前記少なくとも一つの第２放出状態のいずれかへ切り替わるのを防止する少なくとも第１の方法及び第２の方法を、
（ｉ）前記第１の方法及び第２の方法の双方を実質的に同時に使用し、又はｉｉ）前記第１の方法を使用した後に前記第２の方法を使用するように、実装するべく構成される、無線送電システム。
【請求項１８】
光パワーのビームを、受信器制御ユニット、受信器機能モニタユニット及びパワー変換デバイスを有する少なくとも一つの受信器に伝送する無線送電システムであって、
少なくとも一つの第１放出状態及び少なくとも一つの第２放出状態を有する送信器であって、前記少なくとも一つの第２放出状態は、前記少なくとも一つの第１放出状態のいずれの最高放出よりも高い放出を有し、前記受信器機能モニタユニットは、受信器制御ユニット故障の検出時に前記送信器が前記少なくとも一つの第１放出状態から前記少なくとも一つの第２放出状態のいずれかへ切り替わるのを防止するべく適合される、送信器と、
送信器制御ユニットと、
送信器制御ユニット故障の検出時に前記送信器が前記少なくとも一つの第１放出状態から前記少なくとも一つの第２放出状態のいずれかへ切り替わるのを防止するべく適合される送信器機能モニタユニットと、
前記無線送電システムからの人アクセス可能放出のレベルが所定レベルよりも大きいことを示す信号を与えるべく構成される少なくとも２つのセンサと
を含み、
前記送信器制御ユニットは、前記少なくとも２つのセンサがいずれも、前記無線送電システムからの人アクセス可能放出のレベルが前記所定レベルよりも大きいことを示す信号を与えない場合、前記センサの少なくとも２つから生じた結果間の差異を検出すると、前記送信器が前記少なくとも一つの第１放出状態から前記少なくとも一つの第２放出状態のいずれかへ切り替わるのを防止するべく適合される、無線送電システム。
【請求項１９】
光パワーのビームを、受信器制御ユニット、受信器機能モニタユニット及びパワー変換デバイスを有する少なくとも一つの受信器に伝送する方法であって、
少なくとも一つの第１放出状態及び少なくとも一つの第２放出状態を有する送信器において前記光パワーのビームを生成することであって、前記少なくとも一つの第２放出状態はそれぞれが、前記少なくとも一つの第１放出状態の最高放出よりも高い放出を有し、前記受信器機能モニタユニットは、受信器制御ユニット故障の検出時に前記送信器が前記少なくとも一つの第１放出状態から前記少なくとも一つの第２放出状態のいずれかへ切り替わるのを防止するべく適合されることと、
送信器機能モニタユニットを使用して、送信器制御ユニット故障が生じたか否かを決定し、生じた場合、前記送信器が前記少なくとも一つの第１放出状態から前記少なくとも一つの第２放出状態のいずれかへ切り替わるのを防止することと、
少なくとも２つのセンサを使用して、前記送信器からの人アクセス可能放出のレベルが所定レベルよりも大きいことを示す信号を与えることと
を含み、
前記送信器からの人アクセス可能放出のレベルが所定レベルよりも大きいことを示す前記信号の少なくとも一つを受信するときに、前記送信器が前記少なくとも一つの第１放出状態から前記少なくとも一つの第２放出状態のいずれかへ切り替わるのが防止され、
前記少なくとも２つのセンサがいずれも、前記人アクセス可能放出のレベルが所定レベルよりも大きいことを示す信号を与えない場合、かつ、前記センサの少なくとも２つから生じた少なくとも２つの信号が互いに所定量を超えるだけ異なる結果を与える場合、前記送信器は前記少なくとも一つの第１放出状態から前記少なくとも一つの第２放出状態のいずれかへ切り替わるのが防止され、
前記送信器が前記少なくとも一つの第１放出状態から前記少なくとも一つの第２放出状態のいずれかへ切り替わるのを防止する少なくとも第１の方法及び第２の方法が、
（ｉ）前記第１の方法及び第２の方法の双方を実質的に同時に使用することによって、又は
（ｉｉ）前記第１の方法を使用した後に前記第２の方法を使用することによって、実装される、方法。